(57)【要約】【課題】本発明は、極めて商品価値の高い画期的な収納構造体を提供することを目的とする。【解決手段】枠体１内に引出体２を出し入れ収納自在に設けた収納構造体であって、前記枠体１に対する前記引出体２の収納状態を保持する第一保持機構４及び第二保持機構５を具備するものである。【選択図】図８
2010268860.tif 000002
【特許請求の範囲】
【請求項１】
枠体内に引出体を出し入れ収納自在に設けた収納構造体であって、前記引出体の引出下面部の前端部に第一凹状部を設けるとともに、前記枠体に対する前記引出体の押し込み収納の際、前記引出下面部を摺動し前記第一凹状部に落ち込み係合する第一凸状部を、前記引出下面部を支承する前記枠体の引出支承部の前端部に設けて、前記枠体に対する前記引出体の収納状態を保持する第一保持機構を具備し、前記引出支承部の後端部に第二凹状部を設けるとともに、前記枠体に対する前記引出体の押し込み収納の際、前記引出支承部を摺動し前記第二凹状部に落ち込み係合する第二凸状部を前記引出下面部の後端部に設けて、前記枠体に対する前記引出体の収納状態を保持する第二保持機構を具備し、前記引出下面部にして前記第一凸状部が摺動する第一被摺動部の側方位置に前記第二凸状部を設けるとともに、前記引出支承部にして前記第二凸状部が摺動する第二被摺動部の側方位置に前記第一凸状部を設けたことを特徴とする収納構造体。
【請求項２】
前記引出下面部に突設したリブ縁を前記第一凸状部が摺動する前記第一被摺動部とし、この第一被摺動部の前端部に前記第一凹状部を凹設し、前記引出下面部の後端部にして前記第一被摺動部上でない側方へずれた位置に前記第二凸状部を凸設したことを特徴とする請求項１記載の収納構造体。
【請求項３】
前記引出支承部の支承上面を前記第二凸状部が摺動する前記第二被摺動部とし、この第二被摺動部の後端部に前記第二凹状部を凹設し、前記引出支承部の前端部にして前記第二被摺動部上でない側方にずれた位置に前記第一凸状部を凸設したことを特徴とする請求項１，２のいずれか１項に記載の収納構造体。
【請求項４】
前記引出下面部及び前記引出支承部に対して点接触若しくは線接触で摺動するように前記第一凸状部及び前記第二凸状部の形状を設定したことを特徴とする請求項１〜３のいずれか１項に記載の収納構造体。
【請求項５】
前記引出体を水平状態に支承するように前記第一凸状部と前記第二凸状部との突出高さを設定したことを特徴とする請求項１〜４のいずれか１項に記載の収納構造体。
【請求項６】
前記枠体に対する前記引出体の押し込み収納の際、前記第二保持機構が前記第一保持機構よりも先に落ち込み作用が生じるように前記第二凹状部の形状が設定されていることを特徴とする請求項１〜５のいずれか１項に記載の収納構造体。
【請求項７】
前記引出支承部の左右側端位置に立ち上がり部が設けられ、この立ち上がり部は前記引出体の直線摺動をガイドするガイド機構として構成されていることを特徴とする請求項１〜６のいずれか１項に記載の収納構造体。
【請求項８】
前記引出下面部の前端部左右位置に一対の前記第一凹状部を設けるとともに、前記引出支承部の前端部左右位置に一対の前記第一凸状部を設けて前記第一保持機構は構成され、前記引出支承部の後端部左右位置に一対の前記第二凹状部を設けるとともに、前記引出下面部の後端部左右位置に一対の前記第二凸状部を設けて前記第二保持機構は構成されていることを特徴とする請求項１〜７のいずれか１項に記載の収納構造体。
【発明の詳細な説明】
【技術分野】
【０００１】
本発明は、例えば収納ケースやタンスなどの収納構造体に関するものである。
【背景技術】
【０００２】
従来から、枠体内に引出体を出し入れ収納自在に設けた収納構造体として、例えば特許第４０３８４６１号に開示される収納ケース（以下、従来例）が提案されている。
【０００３】
この従来例は、枠体と、該枠体に対して出し入れが可能である引出体とを備え、引出体の引出下面部の前端部に凸状部を有すると共に、枠体の引出支承部の前端部に凸状部が落ち込み係合する凹状部を有し、枠体に対して引出体を押し込んでいく際、凸状部が、枠体における引出し用開口部と凹状部との間の凹部前方部を乗り越えた後、凹状部に落ち込み係合することで枠体に対する引出体の収納状態を保持する引出体保持機構を具備している。
【０００４】
従って、従来例は、この引出体保持機構を具備することにより、枠体に対する引出体の収納状態を保持することができ、例えば地震等による振動が加わった場合にも、不意に引出体が前方に飛び出して枠体から落下するなどの問題を防止することができ、また、枠体に対して引出体が完全に収納状態となる直前では自然に（自動的に）引出体が吸い込まれるように収納されることになり、ユーザーに引出体がしっかりと収納されたという安心感を与えることができる。
【先行技術文献】
【特許文献】
【０００５】
【特許文献１】特許第４０３８４６１号公報
【発明の概要】
【発明が解決しようとする課題】
【０００６】
しかしながら、従来例は、その構造上、枠体に対して収納状態とした引出体の十分な保持力を得ようとする場合、凸状部が落ち込み摺動する凹状部の落ち込み下り面の勾配を急にすることになるが、その結果、枠体に対して収納状態の引出体を引き出そうとする際には、単に引出体を手前に引く操作だけでなく、引出体の前端部を持ち上げた後に引き出す操作となり、この操作には強い力が必要になってしまい（これは、引出体内の収納物が重いほど顕著である。）、しかも、この引き出し操作性は勿論、枠体に対して引出体を引き入れする度に引出体の前端部が上下に大きく揺れる動作に違和感を感じてしまうユーザーもいる（水平方向へ滑らかに引き入れできることが好まれる。）。
【０００７】
本出願人は、この引出体の保持機構を具備したタイプの収納構造体について更なる研究開発を進めた結果、極めて商品価値の高い画期的な収納構造体を開発した。
【課題を解決するための手段】
【０００８】
添付図面を参照して本発明の要旨を説明する。
【０００９】
枠体１内に引出体２を出し入れ収納自在に設けた収納構造体であって、前記引出体２の引出下面部２ａの前端部に第一凹状部４ａを設けるとともに、前記枠体１に対する前記引出体２の押し込み収納の際、前記引出下面部２ａを摺動し前記第一凹状部４ａに落ち込み係合する第一凸状部４ｂを、前記引出下面部２ａを支承する前記枠体１の引出支承部１ａの前端部に設けて、前記枠体１に対する前記引出体２の収納状態を保持する第一保持機構４を具備し、前記引出支承部１ａの後端部に第二凹状部５ａを設けるとともに、前記枠体１に対する前記引出体２の押し込み収納の際、前記引出支承部１ａを摺動し前記第二凹状部５ａに落ち込み係合する第二凸状部５ｂを前記引出下面部２ａの後端部に設けて、前記枠体１に対する前記引出体２の収納状態を保持する第二保持機構５を具備し、前記引出下面部２ａにして前記第一凸状部４ｂが摺動する第一被摺動部２ａ’の側方位置に前記第二凸状部５ｂを設けるとともに、前記引出支承部１ａにして前記第二凸状部５ｂが摺動する第二被摺動部１ａ’の側方位置に前記第一凸状部４ｂを設けたことを特徴とする収納構造体に係るものである。
【００１０】
また、前記引出下面部２ａに突設したリブ縁を前記第一凸状部４ｂが摺動する前記第一被摺動部２ａ’とし、この第一被摺動部２ａ’の前端部に前記第一凹状部４ａを凹設し、前記引出下面部２ａの後端部にして前記第一被摺動部２ａ’上でない側方へずれた位置に前記第二凸状部５ｂを凸設したことを特徴とする請求項１記載の収納構造体に係るものである。
【００１１】
また、前記引出支承部１ａの支承上面を前記第二凸状部５ｂが摺動する前記第二被摺動部１ａ’とし、この第二被摺動部１ａ’の後端部に前記第二凹状部５ａを凹設し、前記引出支承部１ａの前端部にして前記第二被摺動部１ａ’上でない側方にずれた位置に前記第一凸状部４ｂを凸設したことを特徴とする請求項１，２のいずれか１項に記載の収納構造体に係るものである。
【００１２】
また、前記引出下面部２ａ及び前記引出支承部１ａに対して点接触若しくは線接触で摺動するように前記第一凸状部４ｂ及び前記第二凸状部５ｂの形状を設定したことを特徴とする請求項１〜３のいずれか１項に記載の収納構造体に係るものである。
【００１３】
また、前記引出体２を水平状態に支承するように前記第一凸状部４ｂと前記第二凸状部５ｂとの突出高さを設定したことを特徴とする請求項１〜４のいずれか１項に記載の収納構造体に係るものである。
【００１４】
また、前記枠体１に対する前記引出体２の押し込み収納の際、前記第二保持機構５が前記第一保持機構４よりも先に落ち込み作用が生じるように前記第二凹状部５ａの形状が設定されていることを特徴とする請求項１〜５のいずれか１項に記載の収納構造体に係るものである。
【００１５】
また、前記引出支承部１ａの左右側端位置に立ち上がり部１ｂが設けられ、この立ち上がり部１ｂは前記引出体２の直線摺動をガイドするガイド機構として構成されていることを特徴とする請求項１〜６のいずれか１項に記載の収納構造体に係るものである。
【００１６】
また、前記引出下面部２ａの前端部左右位置に一対の前記第一凹状部４ａを設けるとともに、前記引出支承部１ａの前端部左右位置に一対の前記第一凸状部４ｂを設けて前記第一保持機構４は構成され、前記引出支承部１ａの後端部左右位置に一対の前記第二凹状部５ａを設けるとともに、前記引出下面部２ａの後端部左右位置に一対の前記第二凸状部５ｂを設けて前記第二保持機構５は構成されていることを特徴とする請求項１〜７のいずれか１項に記載の収納構造体に係るものである。
【発明の効果】
【００１７】
本発明は上述のように構成したから、枠体に対する引出体の収納状態が保持されて、引出体の良好な収納状態が得られるのは勿論、前述した従来例に比し、枠体に対する引出体の出し入れを極めて円滑に行うことができ、しかも、この枠体に対して収納状態の引出体の引き出し始めだけでなく、引き出した後の引き出し操作及び押し込み操作が極めて滑らかに行えることになり良好な操作感が得られ、そして更に、前述した良好な作用効果を発揮する構造が簡易且つ確実に実現できることになるなど極めて商品価値の高い画期的な収納構造体となる。
【００１８】
また、請求項２，３，４，５記載の発明においては、より一層前述した秀れた作用効果を発揮する構造が簡易に達成されることになるなど極めて商品価値の高い画期的な収納構造体となる。
【００１９】
また、請求項６記載の発明においては、引出体の押し込み操作がより一層軽く良好に行われることになるなど極めて商品価値の高い画期的な収納構造体となる。
【００２０】
また、請求項７記載の発明においては、第一保持機構及び第二保持機構が確実に機能することになるなど極めて商品価値の高い画期的な収納構造体となる。
【００２１】
また、請求項８記載の発明においては、より一層前述した秀れた作用効果を発揮する構造が簡易に達成されることになるなど極めて商品価値の高い画期的な収納構造体となる。
【図面の簡単な説明】
【００２２】
【図１】本実施例を示す斜視図である。
【図２】本実施例に係る引出体を引き出し操作した状態を示す斜視図である。
【図３】本実施例に係る枠体の説明斜視図である。
【図４】本実施例に係る枠体の説明平断面図である。
【図５】本実施例に係る引出体の説明斜視図である。
【図６】本実施例に係る引出体の底面図である。
【図７】本実施例に係る要部の説明断面図である。
【図８】本実施例に係る要部の動作説明図である。
【図９】本実施例に係る要部の動作説明図である。
【図１０】本実施例に係る要部の動作説明図である。
【図１１】本実施例に係る要部の動作説明図である。
【図１２】本実施例と異なる凹凸関係の保持機構を設けた場合の動作説明図である。
【図１３】本実施例と異なる凹凸関係の保持機構を設けた場合の動作説明図である。
【発明を実施するための形態】
【００２３】
好適と考える本発明の実施形態（発明をどのように実施するか）を、図面に基づいて本発明の作用を示して簡単に説明する。
【００２４】
枠体１に対して引き出された状態の引出体２を押し込み収納すると、第一保持機構４を構成する第一凸状部４ｂが第一凹状部４ａに落ち込み係合するとともに、第二保持機構５を構成する第一凸状部５ｂが第二凹状部５ａに落ち込み係合して、枠体１に対する引出体２の収納状態が保持される。
【００２５】
この枠体１に対する引出体２の押し込み収納の際、枠体１に対して引出体２が完全に収納状態となる直前では、例えば自然に若しくは軽い押し込み力だけで引出体２が吸い込まれるように収納される。
【００２６】
本発明は、この枠体１に対する引出体２の収納状態を保持する第一保持機構４及び第二保持機構５を、枠体１と引出体２同士間の前後位置に設けており、即ち、凸状部と凹状部とからなる保持機構を枠体１と引出体２同士間の前端部及び後端部のいずれか一方だけでなく、前端部及び後端部の双方に設ける構造とすることで、いずれか一方に設けた場合のように十分な保持力を得る為に凸状部が落ち込み摺動する凹状部の落ち込み下り面の勾配を急にせずとも、その勾配がなだらかであっても前後合わせてトータルとして十分な保持力を得ることができる。
【００２７】
つまり、枠体１に対して引出体２を保持する保持機構を前後に分配する構造とすることで、前後いずれか一方とする構造と同等の保持力を確保しつつ、このいずれか一方の構造に比して凸状部が落ち込み摺動する凹状部の下り面の勾配はなだらかであるから、引出体２の滑らかな出し入れを実現することができる。
【００２８】
また、本発明は、引出体２の引き出し操作及び押し込み操作に際し、枠体１に設けられた第一凸状部４ｂが引出体２に設けられた第一被摺動部２ａ’を摺動するとともに、引出体２に設けられた第二凸状部５ｂが枠体１に設けられた第二被摺動部１ａ’を摺動する。
【００２９】
即ち、引出体２は、例えば引き出し操作及び押し込み操作により前後位置で凸状部で支承された状態で摺動するという、枠体１に対する引出体２の接触面積が可及的に少ない構造であるから、引き出し始めから引き出された状態までの間の引き出し操作、並びに引き出された状態から収納状態までの押し込み操作が極めて滑らかに行われることになる。
【００３０】
ところで、本発明は、単に枠体１と引出体２同士間の前後位置に第一保持機構４及び第二保持機構５を設けたのではなく、この第一保持機構４及び第二保持機構５夫々に係る各凸状部と各凹状部とを最適な位置に設けており、前述した作用効果を発揮する構造を現実化している。
【００３１】
即ち、例えば図12（ａ）に図示したように引出体52の引出下面部52ａの前端部及び後端部に凸状部54ｂ，55ｂを設け、この各凸状部54ｂ，55ｂが落ち込み係合する各凹状部54ａ，55ａを枠体51の引出支承部51ａの前端部及び後端部に設ける構造とした場合、枠体51に対して収納状態の引出体52を引き出した際、図12（ｂ）に図示したように引出下面部52ａの前端部に設けた凸状部54ｂが枠体52（被摺動部）から脱落して引出体２が水平状態でない傾いた状態となってしまい、良好な摺動が行われなくなる。
【００３２】
そこで、例えば図13（ａ）に図示したように引出下面部52ａの後端部に凹状部55ａを設け、この凹状部55ａに落ち込み係合する凸状部55ｂを引出支承部51ａの後端部に設けた場合、図13（ｂ）に図示したように引出体52を水平状態で引き出し操作及び押し込み操作をすることは可能になるが、枠体51（引出支承部51ａ）に対する引出体52（引出下面部52ａ）の接触面積が極めて多い状態となってしまい、やはり良好な摺動が行われなくなる。
【００３３】
この点、本発明は、各凸状部と各凹状部とを最適な位置に設けることで前述したこれらの問題が生じることなく、常に良好な摺動が行われる状態が得られ、しかも、第一保持機構４と第二保持機構５を前後に離れた位置（端部）に設けることで枠体１に対する引出体２の長いストロークでの引き出し操作及び押し込み操作において良好な摺動を確保することができる。
【００３４】
また、本発明は、例えば枠体１に対して収納状態の引出体２を引き出して完全に取り外そうとする際、各凸状部及び各凹状部同士は互いに干渉せずに引き出される。
【００３５】
これは、引出下面部２ａにして第一凸状部４ｂが摺動する第一被摺動部２ａ’の側方位置に第二凸状部５ｂを設けるとともに、引出支承部１ａにして第二凸状部５ｂが摺動する第二被摺動部１ａ’の側方位置に第一凸状部４ｂを設けたからであり、つまり、第一凸状部４ｂと第二凸状部５ｂとは引出体２の引き出し操作及び押し込み操作に際して互いに干渉しない位置（互いに摺動方向において同一直線上にない位置）に設けられているから、枠体１に対して引出体２を良好に取り外すことができ、ひいては、枠体１に対して引出体２を差し込みする際も何ら凸状部同士が障害とならず良好な差し込み収納が行えることになる。
【００３６】
仮に、この構造を具備しない場合、取り外し及び差し込み収納が円滑に行えないのは勿論、一の凸状部に対して他の凸状部が乗り上がるだけのクリアランスが必要となり、これが、枠体の大型化の要因となったり、この枠体に対して引出体を収納した際に生じる枠体と収納体との隙間を隠すなどの構造（具体的には引出体２の前板で覆うなどの構造）が別途必要となってしまうが、本発明は、この問題点を簡易且つ確実に回避している点においても秀れる。
【実施例】
【００３７】
本発明の具体的な一実施例について図面に基づいて説明する。
【００３８】
本実施例は、枠体１内に引出体２を出し入れ収納自在に設けた収納構造体であって、枠体１と引出体２同士間の前後位置に、枠体１に対する引出体２の収納状態を保持する第一保持機構４及び第二保持機構５を具備せしめたものである。尚、本実施例では、収納構造体として収納ケースを採用したが、例えばタンスや机の引出構造でも良いなど本実施例の特性を発揮する構成であれば適宜採用し得るものである。
【００３９】
以下、本実施例に係る構成各部について詳細な説明をする。
【００４０】
枠体１は、図１，２，３，４に図示したように適宜な合成樹脂製の部材で一体成形したものであり、夫々方形状の天板部１Ａ，底板部１Ｂ，左側板部１Ｃ，右側板部１Ｄ及び背板部１Ｅとから成り、方形状の正面開口部を有するケース状体である。
【００４１】
また、枠体１は、正面開口部から後述する引出体２を差し込み収納し得るように構成されており、枠体１を構成する底板部１Ｂの上面は、引出体２を支承する支承上面としての引出支承部１ａに設定されている。
【００４２】
この引出支承部１ａは、図３，４に図示したように前端部の左右位置に一対の第一凸状部４ｂが設けられ、この第一凸状部４ｂは後述する引出体２の引出下面部２ａの前端部左右位置に設けられる第一凹状部４ａとともに、枠体１に対する引出体２の収納状態を保持する第一保持機構４を構成する。
【００４３】
また、第一凸状部４ｂは、図３に図示したように引出支承部１ａの表面に突出状に一体成形されており、枠体１の長さ方向に長さを有し、上面の頂点を境に前後になだらかに湾曲する山状体である。尚、第一凸状部４ｂは引出支承部１ａを構成するパーツ（部位）と別パーツとしても良い。
【００４４】
また、第一凸状部４ｂは、後述する引出体２の引出下面部２ａに設けられる第一被摺動部２ａ’に対して点接触する形状に設定されている。尚、本発明で言う点接触とは接触する被接触面に比して面積の少ない点で接触する状態を言う。
【００４５】
また、第一凸状部４ｂは、図４に図示したように引出支承部１ａにして後述する引出体２の引出下面部２ａに設けられる第二凸状部５ｂが摺動する第二被摺動部１ａ’上でない外側方へずれた位置（避けた位置）に設けられている。
【００４６】
従って、第一凸状部４ｂは、第二凸状部５ｂと互いに摺動方向において同一直線上には設けられておらず、よって、枠体１に対して引出体２を取り外し及び差し込みする際、互いに干渉することがない。
【００４７】
第二被摺動部１ａ’は、図３，４に図示したように左右の第一凸状部４ｂ夫々の内側方に位置する引出支承部１ａの支承上面（図３中の斜線表示領域）で構成され、引出体２の引き出し操作及び押し込み操作に際して後述する引出体２の第二凸状部５ｂが直線摺動するように構成されている。尚、第二被摺動部１ａ’に滑面処理を行っても良い。
【００４８】
また、左右の第二被摺動部１ａ’夫々の先端は正面開口部まで連続し、基端には第二被摺動部１ａ’を摺動した第二凸状部５ｂが落ち込み係合する第二凹状部５ａが設けられており、この第二凹状部５ａは、第二凸状部５ｂとともに、枠体１に対する引出体２の収納状態を保持する第二保持機構５を構成する。
【００４９】
また、第二凹状部５ａは、図３，４，７に図示したように引出支承部１ａの後端部左右位置の表面を所定形状に凹設して構成されており、基端側の最底部５ａ’から前端側へ向けて所定勾配に形成されるスロープ状の落ち込み摺動面５ａ”を斜設して構成されている。
【００５０】
この第二凹状部５ａの深さは、引出体２の円滑な出し入れの要素となる第二凸状部５ｂとの落ち込み係合力の関係から設定され、落ち込み摺動面５ａ”の勾配は、第二凸状部５ｂとの落ち込み係合力の関係は勿論、引出体２の落ち込み作用（吸い込み力）との関係から設定され、落ち込み摺動面５ａ”の長さは、枠体１に対する引出体２の押し込み収納の際、第二保持機構５が第一保持機構４よりも先に落ち込み作用が先に生じるように設定されている。
【００５１】
また、引出支承部１ａは、図３，４，７に図示したように左右側端位置にして第一凸状部４ｂの外側位置に板状の立ち上がり部１ｂが長さ方向に形成されている。
【００５２】
この左右の立ち上がり部１ｂは、引出体２が引き出し操作及び押し込み操作により摺動する際、確実に直線摺動するよう引出体２の左右下端部をガイドするガイド機構として構成されている。
【００５３】
従って、この立ち上がり部１ｂにより引出体２が常に直線摺動することにより、第一保持機構４及び第二保持機構５が確実に機能することになる。
【００５４】
引出体２は、図１，２，５，６に図示したように適宜な合成樹脂製の部材で一体成形したものであり、夫々方形状の前板部２Ａ，底板部２Ｂ，左側板部２Ｃ，右側板部２Ｄ及び背板部２Ｅとから成り、方形状の上方開口部を有する箱状体である。
【００５５】
また、引出体２は、図１，２に図示したように枠体１の正面開口部から差し込み収納し得るように構成されており、引出体２を構成する底板部２Ｂの下面は、枠体１の引出支承部１ａに支承される引出下面部２ａに設定されている。
【００５６】
この引出下面部２ａは、図５，６に図示したように下端周縁部にリブ（補強リブ）が突設されており、左右の第二凸状部５ｂ夫々の外側方に位置にして左右側方のリブ夫々の先端縁としてのリブ縁（図６中の斜線表示領域）を枠体１の第一凸状部４ｂが直線摺動する第一被摺動部２ａ’としている。尚、第一被摺動部２ａ’に滑面処理を行っても良い。
【００５７】
また、左右の第一被摺動部２ａ’夫々の前端部には、第一凸状部４ｂが落ち込み係合する第一凹状部４ａが凹設されている。
【００５８】
第一凹状部４ａは、図５，６に図示したように引出下面部２ａの後端部左右位置にして前述したリブ縁を凹設して構成されており、側面視凹湾曲状であり中央の最底部４ａ’から後端側へ向けて所定勾配に円弧状に漸次登り上がる落ち込み摺動面４ａ”が形成して構成されている。
【００５９】
この第一凹状部４ａの深さは、引出体２の円滑な出し入れの要素となる第一凸状部４ｂとの落ち込み係合力の関係から設定され、落ち込み摺動面４ａ”の勾配は、第一凸状部４ｂとの落ち込み係合力の関係は勿論、引出体２の落ち込み作用（吸い込み力）との関係から設定され、落ち込み摺動面４ａ”の長さは、枠体１に対する引出体２の押し込み収納の際、第二保持機構５が第一保持機構４よりも先に落ち込み作用が先に生じるように設定されている。
【００６０】
第二凸状部５ｂは、図５，７に図示したように引出下面部２ａの表面に突出状に一体成形されており、引出体２の長さ方向に長さを有し、上面の頂点から前方になだらかに湾曲となる山状体である。尚、第二凸状部５ｂは引出下面部２ａを構成するパーツと別パーツとしても良い。
【００６１】
また、第二凸状部５ｂは、枠体１の引出支承部１ａに設けられる第二被摺動部１ａ’に対して点接触する形状に設定されている。
【００６２】
また、第二凸状部５ｂは、引出下面部２ａにして枠体１の引出支承部１ａに設けられる第一凸状部４ｂが摺動する第一被摺動部２ａ’上でない内側方へずれた位置（避けた位置）に設けられている。
【００６３】
従って、第二凸状部５ｂは、第一凸状部４ｂと互いに摺動方向において同一直線上には設けられておらず、よって、枠体１に対して引出体２を取り外し及び差し込みする際、互いに干渉することがない。
【００６４】
また、引出体２は、図５，６に図示したように左側板部２Ｃ及び右側板部２Ｄの基端側上縁部に突部２ｂが設けられており、この突部２ｂは、枠体１に係る左側板部１Ｃ及び右側板部１Ｄの前端側上縁部に設けた抜け止め係止部（図示省略）に抜け止め係止するストッパーとして機能する。枠体１に対して引出体２を取り外す際も差し込む際も、引出体２の左側板部２Ｃ及び右側板部２Ｄを内側に撓ませて突部２ｂを抜け止め係止部を避けた状態で通過させることで行う。
【００６５】
尚、本実施例では、第一保持機構４及び第二保持機構５を構成する各凸状部及び各凹状部の数は左右一対並設した構成としているが、左右方向に長さを有する一つもの（凸条）でも、左右方向に三つ以上並設した構成としても良く、本実施例の特性を発揮する構成であれば適宜採用し得るものである。
【００６６】
以上の構成から成る本実施例に係る収納構造体の動作について説明する。
【００６７】
図８に図示したように第一保持機構４及び第二保持機構５による保持作用（凹状部に対する凸状部の落ち込み作用）が解除された状態（枠体１に対して引出体２が引き出された状態）での、引き出し操作及び押し込み操作に際しては、引出体２は４点支持状態で水平状態に摺動する。
【００６８】
具体的には、枠体１（引出支承部１ａ）における左右の第一凸状部４ｂは、引出体２（引出下面部２ａ）における左右の第一被摺動部２ａ’を点接触で摺動し、引出体２（引出下面部２ａ）における左右の第二凸状部５ｂは、枠体１（引出支承部１ａ）における左右の第二被摺動部１ａ’を点接触で摺動する。
【００６９】
従って、極めて円滑な引き出し操作及び押し込み操作が行えることになる。
【００７０】
次に、前述した枠体１に対して引出体２を引き出された状態から押し込み操作して収納する際、図９に図示したように第二保持機構５が第一保持機構４よりも先に落ち込み作用が生じる。
【００７１】
具体的には、第一保持機構４に係る第一凸状部４ｂが第一凹状部４ａの落ち込み摺動面４ａ”に到達するよりも前に、第二保持機構５に係る第二凸状部５ｂは第二凹状部５ａの落ち込み摺動面５ａ”に到達して落ち込み摺動を開始する。このことから、その後は軽い押し込み力で引出体２の押し込み操作がより一層楽に行えることになる。
【００７２】
そして更に、押し込み操作を続けると、図10に図示したように第一凸状部４ｂが第一凹状部４ａの落ち込み摺動面４ａ”に到達して落ち込み作用が強くなる。
【００７３】
この第一凸状部４ｂが落ち込み摺動を開始した時点から、押し込み操作が無しでも自然に引出体２が枠体１に吸い込まれるように摺動し、図11に図示したように第一凸状部４ｂが第一凹状部４ａの最底部４ａ’に完全に落ち込むとともに、第二凸状部５ｂは第二凹状部５ａの最底部５ａ’に完全に落ち込み、枠体１に対する収納体２の収納が完了し、第一保持機構４及び第二保持機構５によって枠体１に対する引出体２の収納状態が保持される。この第一保持機構４及び第二保持機構５により、例えば地震等による振動が加わった場合にも、不意に引出体２が前方に飛び出して枠体１から落下することが可及的に防止される。
【００７４】
本実施例は上述のように構成したから、枠体１に対する引出体２の収納状態が保持されて、引出体２の良好な収納状態が得られるのは勿論、前述した従来例に比し、枠体１に対する引出体２の出し入れを極めて円滑に行うことができ、しかも、この枠体１に対して収納状態の引出体２の引き出し始めだけでなく、引き出した後の引き出し操作及び押し込み操作が極めて滑らかに行えることになり良好な操作感が得られ、そして更に、前述した良好な作用効果を発揮する構造が簡易且つ確実に実現できることになる。
【００７５】
尚、本発明は、本実施例に限られるものではなく、各構成要件の具体的構成は適宜設計し得るものである。
【産業上の利用可能性】
【００７６】
本発明は、例えば収納ケースやタンスなどの収納構造体に有用である。
【符号の説明】
【００７７】
１  枠体
１ａ  引出支承部
１ａ’  第二被摺動部
１ｂ  立ち上がり部
２  引出体
２ａ  引出下面部
２ａ’  第一被摺動部
４  第一保持機構
４ａ  第一凹状部
４ｂ  第一凸状部
５  第二保持機構
５ａ  第二凹状部
５ｂ  第二凸状部
【図１】
2010268860.tif 000003
【図２】
2010268860.tif 000004
【図３】
2010268860.tif 000005
【図４】
2010268860.tif 000006
【図５】
2010268860.tif 000007
【図６】
2010268860.tif 000008
【図７】
2010268860.tif 000009
【図８】
2010268860.tif 000010
【図９】
2010268860.tif 000011
【図１０】
2010268860.tif 000012
【図１１】
2010268860.tif 000013
【図１２】
2010268860.tif 000014
【図１３】
2010268860.tif 000015